(57)【特許請求の範囲】
【請求項１】
無線通信システムにおいてＭ２Ｍ（ｍａｃｈｉｎｅ−ｔｏ−ｍａｃｈｉｎｅ）機器によりマルチキャストデータを受信する方法であって、前記方法は、
基地局から、前記Ｍ２Ｍ機器に割り当てられたＭＧＩＤ（Ｍ２Ｍ  ｇｒｏｕｐ  ｉｄｅｎｔｉｆｉｅｒ）を含む情報を受信することと、
前記基地局から、前記ＭＧＩＤを含むＭ２Ｍマルチキャスト割当と関連したメッセージを受信することと、
前記基地局から、前記メッセージに基づいて前記マルチキャストデータを受信することと
を含み、
前記マルチキャストデータは、マルチキャストサービスフローのためのＭＡＣ  ＰＤＵ（ｍｅｄｉｕｍ  ａｃｃｅｓｓ  ｃｏｎｔｒｏｌ  ｐａｃｋｅｔ  ｄａｔａ  ｕｎｉｔ）のＭＡＣヘッダーにおけるＦＩＤ（ｆｌｏｗ  ｉｄｅｎｔｉｆｉｅｒ）フィールドを含み、前記ＦＩＤフィールドは、０ｂ０１００又は０１００に設定される、方法。
【請求項２】
前記メッセージは、Ｍ２Ｍマルチキャスト割当Ａ−ＭＡＰ  ＩＥ（Ｉｎｆｏｒｍａｔｉｏｎ  Ｅｌｅｍｅｎｔ）メッセージである、請求項１に記載の方法。
【請求項３】
前記ＭＧＩＤがＣＲＣ（ｃｙｃｌｉｃ  ｒｅｄｕｎｄａｎｃｙ  ｃｈｅｃｋ）マスキングされる態様により、前記ＭＧＩＤが前記Ｍ２Ｍマルチキャスト割当ＩＥを介して伝送される、請求項２に記載の方法。
【請求項４】
無線通信システムにおいて基地局でマルチキャストデータを伝送する方法であって、前記方法は、
Ｍ２Ｍ（ｍａｃｈｉｎｅ−ｔｏ−ｍａｃｈｉｎｅ）機器に、割り当てられたＭＧＩＤ（Ｍ２Ｍ  ｇｒｏｕｐ  ｉｄｅｎｔｉｆｉｅｒ）を含む情報を伝送することと、
前記ＭＧＩＤを含むＭ２Ｍマルチキャスト割当に関連したメッセージを前記Ｍ２Ｍ機器に伝送することと、
前記メッセージに基づいて前記Ｍ２Ｍ機器に前記マルチキャストデータを伝送することと
を含み、
前記マルチキャストデータは、マルチキャストサービスフローのためのＭＡＣ  ＰＤＵ（ｍｅｄｉｕｍ  ａｃｃｅｓｓ  ｃｏｎｔｒｏｌ  ｐａｃｋｅｔ  ｄａｔａ  ｕｎｉｔ）のＭＡＣヘッダーにおけるＦＩＤ（ｆｌｏｗ  ｉｄｅｎｔｉｆｉｅｒ）フィールドを含み、前記ＦＩＤフィールドは、０ｂ０１００又は０１００に設定される、方法。
【請求項５】
無線通信システムにおいてマルチキャストデータを受信するＭ２Ｍ（ｍａｃｈｉｎｅ−ｔｏ−ｍａｃｈｉｎｅ）機器であって、前記Ｍ２Ｍ機器は、
基地局から、前記Ｍ２Ｍ機器に割り当てられたＭＧＩＤ（Ｍ２Ｍ  ｇｒｏｕｐ  ｉｄｅｎｔｉｆｉｅｒ）を含む情報、前記ＭＧＩＤを含むＭ２Ｍマルチキャスト割当に関連したメッセージ、及び前記メッセージに基づく下りリンクデータを受信するように構成される受信器と、
前記下りリンクデータがマルチキャストサービスフローのためのＭＡＣ  ＰＤＵ（ｍｅｄｉｕｍ  ａｃｃｅｓｓ  ｃｏｎｔｒｏｌ  ｐａｃｋｅｔ  ｄａｔａ  ｕｎｉｔ）のＭＡＣヘッダーにおけるＦＩＤ（ｆｌｏｗ  ｉｄｅｎｔｉｆｉｅｒ）フィールドを含む場合に、前記受信された下りリンクデータを前記マルチキャストデータとして決定するように構成されるプロセッサと
を備え、前記ＦＩＤフィールドは、０ｂ０１００又は０１００に設定される、Ｍ２Ｍ機器。
【請求項６】
前記メッセージは、Ｍ２Ｍマルチキャスト割当Ａ−ＭＡＰ  ＩＥ（Ｉｎｆｏｒｍａｔｉｏｎ  Ｅｌｅｍｅｎｔ）メッセージである、請求項５に記載のＭ２Ｍ機器。
【請求項７】
無線通信システムにおいてマルチキャストデータを伝送する基地局であって、前記基地局は、
Ｍ２Ｍ（ｍａｃｈｉｎｅ−ｔｏ−ｍａｃｈｉｎｅ）機器に割り当てられたＭＧＩＤ（Ｍ２Ｍ  ｇｒｏｕｐ  ｉｄｅｎｔｉｆｉｅｒ）を含む情報、前記ＭＧＩＤを含むＭ２Ｍマルチキャスト割当に関連したメッセージ、及び前記メッセージに基づく前記マルチキャストデータを前記Ｍ２Ｍ機器に伝送するように構成される送信器を備え、
前記マルチキャストデータは、マルチキャストサービスフローのためのＭＡＣ  ＰＤＵ（ｍｅｄｉｕｍ  ａｃｃｅｓｓ  ｃｏｎｔｒｏｌ  ｐａｃｋｅｔ  ｄａｔａ  ｕｎｉｔ）のＭＡＣヘッダーにおけるＦＩＤ（ｆｌｏｗ  ｉｄｅｎｔｉｆｉｅｒ）フィールドを含み、前記ＦＩＤフィールドは、０ｂ０１００又は０１００に設定される、基地局。
【発明の詳細な説明】
【技術分野】
【０００１】
本発明は、無線通信に係り、特に、無線通信システムにおいてマルチキャストデータを伝送及び受信する方法とそのための装置に関する。
【背景技術】
【０００２】
機器間通信（Ｍａｃｈｉｎｅ  ｔｏ  Ｍａｃｈｉｎｅ；以下、Ｍ２Ｍ）は、言葉の通り、電子装置と電子装置間の通信を意味する。広義には、電子装置間の有線或いは無線通信や、人間が制御する装置と機械間の通信のことを意味する。しかし、最近では、電子装置と電子装置間、すなわち、人間が介入することなく行われる機器間無線通信を指すのが一般的である。
【０００３】
Ｍ２Ｍ通信は、その概念が初めて導入された１９９０年代初期には、遠隔調整やテレマティックス程度の概念として認識されたし、派生する市場自体も非常に限定されていたが、ここ数年間高速成長を重ねながら、全世界的に注目される市場へと成長してきた。特に、販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、機械及び設備の遠隔モニタリング、建設機械設備上の作動時間測定、及び熱や電気使用量を自動測定する知能検針（Ｓｍａｒｔ  Ｍｅｔｅｒ）などの分野で大きな影響力を発揮してきた。将来のＭ２Ｍ通信は、既存の移動通信及び無線超高速インターネットやＷｉ−Ｆｉ及びＺｉｇｂｅｅ（登録商標）などの小出力通信ソリューションと連係してより多様な用途に活用されることから、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００４】
Ｍ２Ｍ通信時代には、ＳＩＭ（Ｓｕｂｓｃｒｉｂｅｒ  Ｉｄｅｎｔｉｔｙ  Ｍｏｄｕｌｅ）カードを装着したいかなる機械もデータ送受信が可能になり、遠隔管理及び統制ができる。例えば、自動車、トラック、電車、コンテナ、自動販売機、ガスタンクなどを含む数多くの機器や装備にＭ２Ｍ通信技術が利用されるなど、その適用範囲は非常に広範囲である。
【０００５】
従来では、端末を個別単位に管理するのが一般的であり、基地局と端末間の通信は一対一通信方式で行われていた。このような一対一通信方式で数多くのＭ２Ｍ機器が基地局と通信するとすれば、各Ｍ２Ｍ機器と基地局間に発生するシグナリングによるネットワーク過負荷が予想される。上述したように、Ｍ２Ｍ通信が急に拡散され広範囲化する場合、それらＭ２Ｍ機器同士間、又は各Ｍ２Ｍ機器と基地局間の通信によるオーバーヘッド（ｏｖｅｒｈｅａｄ）が問題になることがある。
【０００６】
Ｍ２Ｍ機器の特性上、Ｍ２Ｍ機器は、殆どは遊休モードで動作するが、イベントなどが発生する場合に起床したり、マルチキャストデータを受信するためにも一部区間で起床することがある。しかし、まだ、Ｍ２Ｍ機器がマルチキャストデータを效率的に受信、又は基地局がマルチキャストデータをＭ２Ｍ機器に效率的に伝送するための具体的な方法が提示されていない現状である。
【発明の概要】
【発明が解決しようとする課題】
【０００７】
本発明が達成しようとする技術的課題は、無線通信システムにおいてＭ２Ｍ（Ｍａｃｈｉｎｅ−Ｔｏ−Ｍａｃｈｉｎｅ）機器がマルチキャストデータを受信する方法を提供することにある。
【０００８】
本発明が達成しようとする他の技術的課題は、無線通信システムにおいて基地局がマルチキャストデータを伝送する方法を提供することにある。
【０００９】
本発明が達成しようとするさらに他の技術的課題は、無線通信システムにおいてマルチキャストデータを受信するＭ２Ｍ（Ｍａｃｈｉｎｅ−Ｔｏ−Ｍａｃｈｉｎｅ）機器を提供することにある。
【００１０】
本発明が達成しようとするさらに他の技術的課題は、無線通信システムにおいてマルチキャストデータを伝送する基地局を提供することにある。
【００１１】
本発明で達成しようとする技術的課題は、以上に言及した技術的課題に制限されるものではなく、言及していない他の技術的課題は、下の記載から、本発明の属する技術の分野における通常の知識を有する者には明らかになるであろう。
【課題を解決するための手段】
【００１２】
上記の技術的課題を達成するための、本発明に係る無線通信システムにおいてＭ２Ｍ（Ｍａｃｈｉｎｅ−Ｔｏ−Ｍａｃｈｉｎｅ）機器がマルチキャストデータを受信する方法は、前記基地局から、前記Ｍ２Ｍ機器に割り当てられたＭ２ＭグループＩＤ（Ｍ２Ｍ  Ｇｒｏｕｐ  ＩＤｅｎｔｉｆｉｅｒ、ＭＧＩＤ）を含む情報を受信することと、前記基地局から、前記ＭＧＩＤ情報が適用されたＭ２Ｍマルチキャスト割当と関連したメッセージを受信することと、前記メッセージに基づいて前記基地局からマルチキャストデータを受信することと、を含み、前記マルチキャストデータは、マルチキャストサービスフローのためのＭＡＣ  ＰＤＵ（Ｍｅｄｉｕｍ  Ａｃｃｅｓｓ  Ｃｏｎｔｒｏｌ  Ｐａｃｋｅｔ  Ｄａｔａ  Ｕｎｉｔ）のＭＡＣヘッダーにおけるフロー識別子（Ｆｌｏｗ  ＩＤｅｎｔｉｆｉｅｒ、ＦＩＤ）フィールドを含み、前記ＦＩＤフィールドは特定値に設定される。前記ＦＩＤフィールドに設定された特定値は、０ｂ０１００又は０１００であってよい。前記メッセージは、Ｍ２Ｍマルチキャスト割当Ａ−ＭＡＰ  ＩＥ（Ｍ２Ｍ  Ｍｕｌｔｉｃａｓｔ  Ａｓｓｉｇｎｍｅｎｔ  Ａ−ＭＡＰ  ＩＥ）タイプであってよく、前記ＭＧＩＤは、前記Ｍ２Ｍマルチキャスト割当Ａ−ＭＡＰ  ＩＥにＣＲＣ（Ｃｙｃｌｉｃ  Ｒｅｄｕｎｄｅｎｃｙ  Ｃｈｅｃｋ）マスキング（Ｍａｓｋｉｎｇ）されて伝送されるとよい。
【００１３】
上記の他の技術的課題を達成するための、無線通信システムにおいて基地局がマルチキャストデータを伝送する方法は、Ｍ２Ｍ（Ｍａｃｈｉｎｅ−Ｔｏ−Ｍａｃｈｉｎｅ）機器に割り当てられたＭ２ＭグループＩＤ（Ｍ２Ｍ  Ｇｒｏｕｐ  ＩＤｅｎｔｉｆｉｅｒ、ＭＧＩＤ）を含む情報を伝送することと、前記ＭＧＩＤ情報が適用されたＭ２Ｍマルチキャスト割当に関連したメッセージを前記Ｍ２Ｍ機器に伝送することと、前記メッセージに基づいて前記Ｍ２Ｍ機器にマルチキャストデータを伝送することと、を含み、前記マルチキャストデータは、マルチキャストサービスフローのためのＭＡＣ  ＰＤＵのＭＡＣヘッダーにおけるフロー識別子（Ｆｌｏｗ  ＩＤｅｎｔｉｆｉｅｒ、ＦＩＤ）フィールドを含み、前記ＦＩＤフィールドは特定値に設定される。前記ＦＩＤフィールドに設定された特定値は、０ｂ０１００又は０１００であってよい。
【００１４】
上記のさらに他の技術的課題を達成するための、無線通信システムにおいてマルチキャストデータを受信するＭ２Ｍ（Ｍａｃｈｉｎｅ−Ｔｏ−Ｍａｃｈｉｎｅ）機器は、前記基地局から前記Ｍ２Ｍ機器に割り当てられたＭ２ＭグループＩＤ（Ｍ２Ｍ  Ｇｒｏｕｐ  ＩＤｅｎｔｉｆｉｅｒ、ＭＧＩＤ）を含む情報、前記ＭＧＩＤ情報が適用されたＭ２Ｍマルチキャスト割当に関連したメッセージ、及び前記メッセージに基づく下りリンクデータを受信する受信器と、前記下りリンクデータがマルチキャストサービスフローのためのＭＡＣ  ＰＤＵ（Ｍｅｄｉｕｍ  Ａｃｃｅｓｓ  Ｃｏｎｔｒｏｌ  Ｐａｃｋｅｔ  Ｄａｔａ  Ｕｎｉｔ）のＭＡＣヘッダーにおけるフロー識別子（Ｆｌｏｗ  ＩＤｅｎｔｉｆｉｅｒ、ＦＩＤ）フィールドを含み、前記ＦＩＤフィールドが特定値に設定されると、前記受信した下りリンクデータがマルチキャストデータであると判断するプロセッサと、を備える。前記ＦＩＤフィールドに設定された特定値は、０ｂ０１００又は０１００であってよい。前記メッセージは、Ｍ２Ｍマルチキャスト割当Ａ−ＭＡＰ  ＩＥ（Ｍ２Ｍ  Ｍｕｌｔｉｃａｓｔ  Ａｓｓｉｇｎｍｅｎｔ  Ａ−ＭＡＰ  ＩＥ）タイプであってよい。
【００１５】
上記のさらに他の技術的課題を達成するための、無線通信システムにおいてマルチキャストデータを伝送する基地局は、Ｍ２Ｍ（Ｍａｃｈｉｎｅ−Ｔｏ−Ｍａｃｈｉｎｅ）機器に割り当てられたＭ２ＭグループＩＤ（Ｍ２Ｍ  Ｇｒｏｕｐ  ＩＤｅｎｔｉｆｉｅｒ、ＭＧＩＤ）を含む情報、前記ＭＧＩＤ情報が適用されたＭ２Ｍマルチキャスト割当に関連したメッセージ、及び前記メッセージに基づくマルチキャストデータを前記Ｍ２Ｍ機器に伝送する送信器を備え、前記マルチキャストデータは、マルチキャストサービスフローのためのＭＡＣ  ＰＤＵのＭＡＣヘッダーにおけるフロー識別子（Ｆｌｏｗ  ＩＤｅｎｔｉｆｉｅｒ、ＦＩＤ）フィールドを含み、前記ＦＩＤフィールドは特定値に設定される。前記ＦＩＤフィールドに設定された特定値は、０ｂ０１００又は０１００であってよい。
本明細書は、例えば、以下の項目も提供する。
（項目１）
無線通信システムにおいてＭ２Ｍ（Ｍａｃｈｉｎｅ−Ｔｏ−Ｍａｃｈｉｎｅ）機器がマルチキャストデータを受信する方法であって、
前記基地局から、前記Ｍ２Ｍ機器に割り当てられたＭ２ＭグループＩＤ（Ｍ２Ｍ  Ｇｒｏｕｐ  ＩＤｅｎｔｉｆｉｅｒ、ＭＧＩＤ）を含む情報を受信することと、
前記基地局から、前記ＭＧＩＤ情報が適用されたＭ２Ｍマルチキャスト割当と関連したメッセージを受信することと、
前記メッセージに基づいて前記基地局からマルチキャストデータを受信することと、
を含み、
前記マルチキャストデータは、マルチキャストサービスフローのためのＭＡＣ  ＰＤＵ（Ｍｅｄｉｕｍ  Ａｃｃｅｓｓ  Ｃｏｎｔｒｏｌ  Ｐａｃｋｅｔ  Ｄａｔａ  Ｕｎｉｔ）のＭＡＣヘッダーにおけるフロー識別子（Ｆｌｏｗ  ＩＤｅｎｔｉｆｉｅｒ、ＦＩＤ）フィールドを含み、前記ＦＩＤフィールドは特定値に設定された、マルチキャストデータ受信方法。
（項目２）
前記ＦＩＤフィールドに設定された特定値は、０ｂ０１００又は０１００である、項目１に記載のマルチキャストデータ受信方法。
（項目３）
前記メッセージは、Ｍ２Ｍマルチキャスト割当Ａ−ＭＡＰ  ＩＥ（Ｍ２Ｍ  Ｍｕｌｔｉｃａｓｔ  Ａｓｓｉｇｎｍｅｎｔ  Ａ−ＭＡＰ  ＩＥ）タイプである、項目１に記載のマルチキャストデータ受信方法。
（項目４）
前記ＭＧＩＤは、前記Ｍ２Ｍマルチキャスト割当Ａ−ＭＡＰ  ＩＥにＣＲＣ（Ｃｙｃｌｉｃ  Ｒｅｄｕｎｄｅｎｃｙ  Ｃｈｅｃｋ）マスキング（Ｍａｓｋｉｎｇ）されて伝送される、項目３に記載のマルチキャストデータ受信方法。
（項目５）
無線通信システムにおいて基地局がマルチキャストデータを伝送する方法であって、
Ｍ２Ｍ（Ｍａｃｈｉｎｅ−Ｔｏ−Ｍａｃｈｉｎｅ）機器に割り当てられたＭ２ＭグループＩＤ（Ｍ２Ｍ  Ｇｒｏｕｐ  ＩＤｅｎｔｉｆｉｅｒ、ＭＧＩＤ）を含む情報を伝送することと、
前記ＭＧＩＤ情報が適用されたＭ２Ｍマルチキャスト割当に関連したメッセージを前記Ｍ２Ｍ機器に伝送することと、
前記メッセージに基づいて前記Ｍ２Ｍ機器にマルチキャストデータを伝送することと、を含み、
前記マルチキャストデータは、マルチキャストサービスフローのためのＭＡＣ  ＰＤＵのＭＡＣヘッダーにおけるフロー識別子（Ｆｌｏｗ  ＩＤｅｎｔｉｆｉｅｒ、ＦＩＤ）フィールドを含み、前記ＦＩＤフィールドは特定値に設定された、マルチキャストデータ伝送方法。
（項目６）
前記ＦＩＤフィールドに設定された特定値は、０ｂ０１００又は０１００である、項目５に記載のマルチキャストデータ伝送方法。
（項目７）
無線通信システムにおいてマルチキャストデータを受信するＭ２Ｍ（Ｍａｃｈｉｎｅ−Ｔｏ−Ｍａｃｈｉｎｅ）機器であって、
前記基地局から前記Ｍ２Ｍ機器に割り当てられたＭ２ＭグループＩＤ（Ｍ２Ｍ  Ｇｒｏｕｐ  ＩＤｅｎｔｉｆｉｅｒ、ＭＧＩＤ）を含む情報、前記ＭＧＩＤ情報が適用されたＭ２Ｍマルチキャスト割当に関連したメッセージ、及び前記メッセージに基づく下りリンクデータを受信する受信器と、
前記下りリンクデータがマルチキャストサービスフローのためのＭＡＣ  ＰＤＵ（Ｍｅｄｉｕｍ  Ａｃｃｅｓｓ  Ｃｏｎｔｒｏｌ  Ｐａｃｋｅｔ  Ｄａｔａ  Ｕｎｉｔ）のＭＡＣヘッダーにおけるフロー識別子（Ｆｌｏｗ  ＩＤｅｎｔｉｆｉｅｒ、ＦＩＤ）フィールドを含み、前記ＦＩＤフィールドが特定値に設定されると、前記受信した下りリンクデータがマルチキャストデータであると判断するプロセッサと、
を備える、Ｍ２Ｍ機器。
（項目８）
前記ＦＩＤフィールドに設定された特定値は、０ｂ０１００又は０１００である、項目７に記載のＭ２Ｍ機器
（項目９）
前記メッセージは、Ｍ２Ｍマルチキャスト割当Ａ−ＭＡＰ  ＩＥ（Ｍ２Ｍ  Ｍｕｌｔｉｃａｓｔ  Ａｓｓｉｇｎｍｅｎｔ  Ａ−ＭＡＰ  ＩＥ）タイプである、項目７に記載のＭ２Ｍ機器。
（項目１０）
無線通信システムにおいてマルチキャストデータを伝送する基地局であって、
Ｍ２Ｍ（Ｍａｃｈｉｎｅ−Ｔｏ−Ｍａｃｈｉｎｅ）機器に割り当てられたＭ２ＭグループＩＤ（Ｍ２Ｍ  Ｇｒｏｕｐ  ＩＤｅｎｔｉｆｉｅｒ、ＭＧＩＤ）を含む情報、前記ＭＧＩＤ情報が適用されたＭ２Ｍマルチキャスト割当に関連したメッセージ、及び前記メッセージに基づくマルチキャストデータを前記Ｍ２Ｍ機器に伝送する送信器を備え、
前記マルチキャストデータは、マルチキャストサービスフローのためのＭＡＣ  ＰＤＵのＭＡＣヘッダーにおけるフロー識別子（Ｆｌｏｗ  ＩＤｅｎｔｉｆｉｅｒ、ＦＩＤ）フィールドを含み、前記ＦＩＤフィールドは特定値に設定された、基地局。
（項目１１）
前記ＦＩＤフィールドに設定された特定値は、０ｂ０１００又は０１００である、項目１０に記載の基地局。
【発明の効果】
【００１６】
本発明の様々な実施例によれば、基地局がＭ２Ｍ機器に效率的にマルチキャストデータを伝送することによって、Ｍ２Ｍ機器にとっても通信性能が向上する。
【００１７】
本発明から得られる効果は、以上に言及した効果に制限されず、言及していない別の効果は、下の記載から、本発明の属する技術の分野における通常の知識を有する者には明らかになるであろう。
【図面の簡単な説明】
【００１８】
本発明に関する理解を助けるために詳細な説明の一部として含まれる添付図面は、本発明に係る実施例を提供し、詳細な説明と共に本発明の技術的思想を説明する。
【図１】本発明の一実施形態に係るＭ２Ｍ機器及び基地局などの装置構成を概略的に説明するための図である。
【図２】基地局からＭ２Ｍ機器へのＭＧＩＤ及びＣＩＤの割当過程の一例を示す図である。
【発明を実施するための形態】
【００１９】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、このような具体的な細部事項なしにも本発明の実施が可能であるということが当業者には理解される。例えば、以下の詳細な説明は、移動通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６システム、３ＧＰＰ（３ｒｄ  Ｇｅｎｅｒａｔｉｏｎ  Ｐａｒｔｎｅｒｓｈｉｐ  Ｐｒｏｊｅｃｔ）である場合を取り上げて具体的に説明するが、ＩＥＥＥ  ８０２．１６システム、３ＧＰＰ特有の事項以外は、他の任意の無線通信システムにも適用可能である。
【００２０】
場合によっては、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【００２１】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）などの、移動又は固定型のユーザー端機器を総称し、また、基地局は、Ｎｏｄｅ  Ｂ、ｅＮｏｄｅ  Ｂ、ＢＳ（Ｂａｓｅ  Ｓｔａｔｉｏｎ）、ＡＰ（Ａｃｃｅｓｓ  Ｐｏｉｎｔ）などの、端末と通信するネットワーク端の任意のノードを総称するものとする。
【００２２】
移動通信システムにおいて、端末（Ｕｓｅｒ  Ｅｑｕｉｐｍｅｎｔ）は、基地局から下りリンク（Ｄｏｗｎｌｉｎｋ）で情報を受信し、基地局に上りリンク（Ｕｐｌｉｎｋ）で情報を伝送することができる。端末が伝送又は受信する情報にはデータ及び種々の制御情報があり、端末が伝送又は受信する情報の種類用途に応じて様々な物理チャネルが存在する。
【００２３】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線通信システムに利用可能である。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進展したバージョンである。
【００２４】
以下、Ｍ２Ｍ機器間の通信は、基地局を介した、端末同士、又は人間の介入なく基地局と端末間で行う通信形態を意味する。したがって、Ｍ２Ｍ機器（Ｄｅｖｉｃｅ）は、上記のようなＭ２Ｍ機器の通信の支援が可能な端末を意味する。Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーという。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャ（ｆｅａｔｕｒｅ）は、Ｍ２Ｍアプリケーションの特徴であり、アプリケーションを提供するのに一つ以上の特徴が必要な場合がある。Ｍ２Ｍ機器グループは、共通の一つ以上の特徴を共有するＭ２Ｍ機器のグループを意味する。
【００２５】
Ｍ２Ｍ方式で通信する機器（Ｍ２Ｍ機器、Ｍ２Ｍ通信機器、ＭＴＣ（Ｍａｃｈｉｎｅ  Ｔｙｐｅ  Ｃｏｍｍｕｎｉｃａｔｉｏｎ）機器などのように様々に呼ばれてもよい。）は、それらの機器アプリケーションタイプ（Ｍａｃｈｉｎｅ  Ａｐｐｌｉｃａｔｉｏｎ  Ｔｙｐｅ）が増加するに伴い、一定のネットワークにおいてその数が次第に増加するだろう。議論されている機器アプリケーションタイプには、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払い（ｐａｙｍｅｎｔ）、（５）健康管理（ｈｅａｌｔｈｃａｒｅ）、（６）遠隔維持及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間測定及び熱や電気使用量を自動測定する知能検針（Ｓｍａｒｔ  Ｍｅｔｅｒ）、（１２）監視カメラの監視ビデオ（Ｓｕｒｖｅｉｌｌａｎｃｅ  Ｖｉｄｅｏ）通信などがあるが、これらに限定されるものではなく、その他様々な機器アプリケーションタイプが議論されている。
【００２６】
Ｍ２Ｍ機器の他の特性に、低い移動性或いは無移動性がある。移動性が非常に低い、或いは移動性がないということは、Ｍ２Ｍ機器は長時間固定（ｓｔａｔｉｏｎａｒｙ）しているという意味である。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払い（ｐａｙｍｅｎｔ）、遠隔維持及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのような、固定した位置を持つ特定Ｍ２Ｍアプリケーションのための移動性−関連動作を単純化又は最適化すればよい。
【００２７】
以下では、Ｍ２Ｍ通信が無線通信システム（例えば、ＩＥＥＥ  ８０２．１６ｅ／ｍ）に適用される場合を取り上げて本発明の実施例を説明する。しかし、本発明はこれに限定されるものではなく、本発明の実施例は、３ＧＰＰ  ＬＴＥシステムなどの他のシステムにも同様の方式で適用可能である。。
【００２８】
図１は、本発明の一実施形態に係るＭ２Ｍ機器及び基地局などの装置構成を概略的に説明するための図である。
【００２９】
図１で、Ｍ２Ｍ機器１００（或いは、Ｍ２Ｍ通信機器と呼ぶこともできるが、以下では、Ｍ２Ｍ機器と呼ぶ）及び基地局１５０は、それぞれ、ＲＦユニット１１０，１６０、プロセッサ１２０，１７０、及び選択的にメモリー１３０，１８０を備えることができる。そして、各ＲＦユニット１１０，１６０は、送信器１１１，１６１及び受信器１１２，１６２を備えることができる。Ｍ２Ｍ機器１００では、送信器１１１及び受信器１１２は、基地局１５０及び他のＭ２Ｍ機器と信号を送信及び受信するように構成され、プロセッサ１２０は、送信器１１１及び受信器１１２と機能的に接続され、送信器１１１及び受信器１１２が他の機器と信号を送受信する過程を制御するように構成されるとよい。また、プロセッサ１２０は、伝送する信号に対する各種処理を行ったのち送信器１１１に伝送し、且つ受信器１１２が受信した信号に対する処理を行うことができる。必要な場合、プロセッサ１２０は、交換したメッセージに含まれた情報をメモリー１３０に保存してもよい。このような構造により、Ｍ２Ｍ機器１００は、以下に説明する種々の実施形態の方法を実行することができる。
【００３０】
一方、図１には示していないが、Ｍ２Ｍ機器１００は、その機器アプリケーションタイプによって種々の追加構成を備えてもよい。Ｍ２Ｍ機器１００が知能型計量のためのものであれば、Ｍ２Ｍ機器１００は、電力測定などのための追加的な構成を備えることができ、このような電力測定動作は、図１におけるプロセッサ１２０により制御されてもよく、別個に構成されたプロセッサ（図示せず）により制御されてもよい。
【００３１】
図１は、Ｍ２Ｍ機器１００と基地局１５０との間に通信が行われる場合を例示しているが、本発明に係るＭ２Ｍ通信方法はＭ２Ｍ機器間に行われてもよく、この場合、それぞれの機器は、同図における各装置構成と同じ形態により、以下に説明する種々の実施形態に係る方法を実行することができる。
【００３２】
基地局１５０の送信器１６１及び受信器１６２は、他の基地局、Ｍ２Ｍサーバー、Ｍ２Ｍ機器と信号を送信及び受信するように構成され、プロセッサ１７０は、送信器１６１及び受信器１６２と機能的に接続され、送信器１６１及び受信器１６２が他の機器と信号を送受信する過程を制御するように構成されるとよい。また、プロセッサ１７０は、伝送する信号に対する各種処理を行ったのち送信器１６１に伝送し、且つ受信器１６２が受信した信号に対する処理を行うことができる。必要な場合、プロセッサ１７０は、交換されたメッセージに含まれた情報をメモリー１３０に保存してもよい。このような構造により、基地局１５０は、以下に説明する種々の実施形態の方法を実行することができる。
【００３３】
Ｍ２Ｍ機器１１０及び基地局１５０のそれぞれのプロセッサ１２０，１７０は、それぞれ、Ｍ２Ｍ機器１１０及び基地局１５０における動作を指示（例えば、制御、調整、管理など）する。それぞれのプロセッサ１２０，１７０は、プログラムコード及びデータを保存するメモリー１３０，１８０と接続可能である。メモリー１３０，１８０は、プロセッサ１２０，１７０に接続してオペレーティングシステム、アプリケーション、及び一般ファイル（ｇｅｎｅｒａｌ  ｆｉｌｅｓ）を保存する。
【００３４】
プロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれることもある。一方、プロセッサ１２０，１７０は、ハードウェア（ｈａｒｄｗａｒｅ）、ファームウェア（ｆｉｒｍｗａｒｅ）、ソフトウェア、又はこれらの結合により実現可能である。ハードウェアを用いて本発明の実施例を実現する場合には、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１２０，１７０に設けられるとよい。
【００３５】
一方、ファームウェアやソフトウェアを用いて本発明の実施例を実現する場合には、本発明の機能又は動作を行うモジュール、手順又は関数などを含むようにファームウェアやソフトウェアが構成されるとよく、本発明を実行するように構成されたファームウェア又はソフトウェアは、プロセッサ１２０，１７０内に設けられたり、メモリー１３０，１８０に保存され、プロセッサ１２０，１７０により駆動されるとよい。
【００３６】
以下、ＩＥＥＥ  ８０２．１６ｐシステムにおいてＭ２Ｍアプリケーションマルチキャスト動作を簡略に説明する。ＩＥＥＥ  ８０２．１６ｐシステムでは、Ｍ２Ｍ機器のためのマルチキャスト動作を支援する。特に、遊休モード（ｉｄｌｅ  ｍｏｄｅ）におけるＭ２Ｍマルチキャスト動作を支援する。
【００３７】
基地局は、Ｍ２Ｍ機器のネットワーク再進入（ｒｅｅｎｔｒｙ）の要求に応じて、又は要求無しに、遊休モードにおいてＭ２Ｍ機器のためのマルチキャストサービスを提供することができる。基地局が下りリンクマルチキャストデータを伝送する前に、基地局は、Ｍ２Ｍ機器のページング聴取区間（ｐａｇｉｎｇ  ｌｉｓｔｅｎｉｎｇ  ｉｎｔｅｒｖａｌ）においてＭ２Ｍ機器に、マルチキャストトラフィック指示を含むページングメッセージを伝送できる。Ｍ２Ｍ機器がページング聴取区間にネットワーク再進入無しでマルチキャストトラフィック受信を指示するページングメッセージを受信すると、Ｍ２Ｍ機器は、遊休モード終了することなく下りリンクマルチキャストデータを受信し始める。
【００３８】
マルチキャスト伝送開始時間（Ｍｕｌｔｉｃａｓｔ  ｔｒａｎｓｍｉｓｓｉｏｎ  ｓｔａｒｔ  ｔｉｍｅ）ＴＬＶは、基地局により下りリンクマルチキャストデータが伝送される時を指示するためにページングメッセージに含まれるとよい。マルチキャスト伝送開始時間ＴＬＶの値は、ページングメッセージ（例えば、ＭＯＢ＿ＰＡＧ−ＡＤＶメッセージ）を受信する機器の次のページング聴取区間の開始時間よりも小さい。Ｍ２Ｍ機器は、ＭＯＢ＿ＰＡＧ−ＡＤＶメッセージにおけるマルチキャスト伝送開始時間ＴＬＶで指示するフレームまではパワーダウン（ｐｏｗｅｒ  ｄｏｗｎ）すればよい。
【００３９】
Ｍ２ＭグループＩＤ（Ｍ２Ｍ  ｇｒｏｕｐ  ＩＤ、ＭＧＩＤ）は、一つ以上のＭ２Ｍ機器が属したＭＧＩＤを割り当てるネットワークエンティティの領域においてＭ２Ｍグループを固有に識別させる。このＩＤは、機器のグループを識別させるのに用いられる（例えば、グループページングの場合に）。ＭＧＩＤは、初期ネットワーク進入及び明示的なネットワーク離脱時（ｅｘｉｔ）（例えば、パワーダウン位置更新時）にＭ２Ｍ機器に割り当てられる。Ｍ２Ｍ機器がネットワークから離脱しないと、割り当てられたＭＧＩＤは遊休状態でもＭ２Ｍ機器により維持される。そして、ＭＧＩＤは再割当できる。接続モード（ｃｏｎｎｅｃｔｅｄ  ｍｏｄｅ）時に、ＭＧＩＤはＤＳＡ及びＤＳＣ過程を経てそれぞれ追加されたり変更されてよい。
【００４０】
次の表１は、８０２．１６−２００９で定義された１６ビットＣＩＤ  ｒａｎｇｅを表すものである。
【００４１】
【表１】
0005784233.tif 000002
【００４２】
以下では、ＩＥＥＥ  ８０２．１６ｍシステムに基づくＭ２Ｍマルチキャスト動作を説明する。基地局は、サービスと関連している各Ｍ２Ｍ機器とマルチキャスト連結を生成することによって、下りリンクマルチキャストサービスを設立（ｅｓｔａｂｌｉｓｈｍｅｎｔ）できる。任意の利用可能なＦＩＤ（Ｆｌｏｗ  ＩＤｅｎｔｉｆｉｅｒ）は、マルチキャストサービス（すなわち、マルチキャスト伝送接続のための専用ＦＩＤがない）のために利用可能である。マルチキャスト接続は、ＡＡＩ−ＤＳＡ  ＭＡＣ制御によって割り当てられたＭＧＩＤ及びＦＩＤの組合せを用いて設定されるとよい。マルチキャスト接続はサービスフローと関連があるため、ＱｏＳ及びそのサービスフローのトラフィックパラメータと関連がある。マルチキャスト接続のために、ＡＲＱは適用されてもよいが、共通保安キーは、暗号化及びマルチキャストトラフィックのための完全性（ｉｎｔｅｇｒｉｔｙ）保護を提供するのに用いられる。
【００４３】
マルチキャスト接続設定に関する内容を簡略に説明する。Ｍ２Ｍ機器がマルチキャストサービスを受信するために登録される時、サービング基地局（Ｓ−ＡＢＳ）又はＭ２Ｍ機器がマルチキャスト接続のためのＤＳＡ過程を開始できる。上位層シグナリングを用いた基地局とのマルチキャストサービス登録及びＭ２Ｍ機器の発見は、この標準の範囲外である。ＡＡＩ−ＤＳＣ過程は、マルチキャストサービスフローを変更するのに用いられる。ＡＡＩ−ＤＳＤ過程は、Ｍ２Ｍ機器のためのマルチキャストサービスフローを削除するのに利用可能である。また、Ｍ２Ｍ機器のマルチキャストサービスフローは、Ｍ２Ｍ機器がネットワークから離脱したり、又はＤＣＲモードに進入する時に削除される。Ｍ２Ｍ機器は、遊休モード時のサービスフロー情報に関連するマルチキャストサービスを維持しなければならない。基地局は、ＭＧＩＤを含む関連マルチキャストパラメータをＭ２Ｍ機器にＡＡＩ−ＤＳＡ−ＲＥＱ／ＡＡＩ−ＤＳＡ−ＲＳＰメッセージで伝送する。
【００４４】
遊休モードでのＭ２Ｍマルチキャスト動作を説明する。基地局は、Ｍ２Ｍ機器のネットワーク再進入（ｒｅｅｎｔｒｙ）の要求に応じて、又は要求なしに、遊休モードでＭ２Ｍ機器のためのマルチキャストサービスを提供できる。基地局が下りリンクマルチキャストデータを伝送する前に、基地局は、Ｍ２Ｍ機器のページング聴取区間（ｐａｇｉｎｇ  ｌｉｓｔｅｎｉｎｇ  ｉｎｔｅｒｖａｌ）においてＭ２Ｍ機器にマルチキャストトラフィック指示を含むページングメッセージを伝送できる。Ｍ２Ｍ機器がページング聴取区間にネットワーク再進入無しでマルチキャストトラフィック受信を指示するページングメッセージを受信すると、Ｍ２Ｍ機器は遊休モード終了することなく下りリンクマルチキャストデータの受信を始める。
【００４５】
マルチキャスト伝送開始時間（Ｍｕｌｔｉｃａｓｔ  ｔｒａｎｓｍｉｓｓｉｏｎ  ｓｔａｒｔ  ｔｉｍｅ）は、基地局により下りリンクマルチキャストデータが伝送される時を指示するためにページングメッセージに含まれるとよい。マルチキャスト伝送開始時間の値は、ページングメッセージ（例えば、ＡＡＩ−ＰＡＧ−ＡＤＶメッセージ）を受信する機器の次のページング聴取区間の開始時間よりも小さい。Ｍ２Ｍ機器は、ＡＡＩ−ＰＡＧ−ＡＤＶメッセージにおいてマルチキャスト伝送開始時間で指示するフレームまではパワーダウン（ｐｏｗｅｒ  ｄｏｗｎ）できる。
【００４６】
マルチキャストデータ伝送が終わる時、基地局は、ＡＡＩ−ＭＴＥ−ＩＮＤメッセージを伝送することによって、Ｍ２Ｍ機器にマルチキャストデータ伝送の終了をシグナリングする。ＡＡＩ−ＭＴＥ−ＩＮＤメッセージを受信すると、Ｍ２Ｍ機器は、ページング利用不可能区間（ｐａｇｉｎｇ  ｕｎａｖａｉｌａｂｌｅ  ｉｎｔｅｒｖａｌ）に進入できる。次の表２は、マルチキャストページングのためにマルチキャストトラフィック指示とＭＧＩＤを含むページングメッセージ（例えば、ＡＡＩ−ＰＡＧ−ＡＤＶ）の一例を示すものである。
【００４７】
【表２】
0005784233.tif 000003
【００４８】
表２を参照すると、ＡＡＩ−ＰＡＧ−ＡＤＶメッセージは、ＭＧＩＤとＡｃｔｉｏｎ  Ｃｏｄｅフィールドを含むことができる。このとき、Ａｃｔｉｏｎ  Ｃｏｄｅが、例えば０ｂ１０に設定され、ネットワーク再進入無しでマルチキャストトラフィックを受信することを指示するものであれば、ＡＡＩ−ＰＡＧ−ＡＤＶメッセージは、基地局が下りリンクマルチキャストデータを伝送し始めるフレーム番号のＬＳＢ（Ｌｅａｓｔ  Ｓｉｇｎｉｆｉｃａｎｔ  Ｂｉｔ）８ビットを指示するマルチキャスト伝送開始時間（ＭＴＳＴ）フィールドをさらに含むことができる。
【００４９】
Ｍ２Ｍ機器は自身に割り当てられたＭＧＩＤが含まれたページングメッセージを受信すると、Ｍ２Ｍ機器のプロセッサ１２０は、マルチキャストデータを受信するためにページング利用不可能な区間（ｕｎａｖａｉｌａｂｌｅ  ｉｎｔｅｒｖａｌ）でも起床しており、下りリンクチャネルを受信するように制御する。
【００５０】
Ｍ２Ｍアプリケーションのためのマルチキャストサービスは主として、ファームウェアアップデートのような特定状況で発生するトラフィックである。この場合、既存の実時間トラフィックのように周期的に発生するトラフィックのために定義されたＭＢＳ−ＭＡＰ  ＩＥを用いてＭ２Ｍマルチキャストデータのためのリソースを割り当てることは効率的でないだろう。その理由は、Ｍ２Ｍ機器は自身のトラフィックがいつ来るかを知っていないため、ＭＢＳ−ＭＡＰ  ＩＥの伝送周期に合わせて引き続きＭＡＰ  ＩＥをデコーディングしなければならず、オーバーヘッドが嵩むからである。
【００５１】
また、既存のＩＥＥＥ  ８０２．１６ｅシステムにおいてＭ２Ｍ機器は、ネットワーク進入（ｎｅｔｗｏｒｋ  ｅｎｔｒｙ）時に、基地局からプライマリ／セカンダリ（Ｐｒｉｍａｒｙ／Ｓｅｃｏｎｄａｒｙ）管理ＣＩＤ又は基本ＣＩＤ（Ｂａｓｉｃ  ＣＩＤ）が割り当てられ、サービス生成時（ＤＳＡ過程）に、サービスフローに対するＣＩＤ（Ｃｏｎｎｅｃｔｉｏｎ  ＩＤｅｎｔｉｆｉｅｒ）が割り当てられる。Ｍ２Ｍ機器のプロセッサ１２０は、割り当てられたＣＩＤから、制御情報（例えば、ＭＡＰ）を受信した時、自身に割り当てられたＭＡＰであるかが確認でき、また、ＭＡＣヘッダー（ＭＡＣ  ｈｅａｄｅｒ）に含まれたＣＩＤから、自身が使用すべきＭＡＣ  ＰＤＵ（Ｍｅｄｉｕｍ  Ａｃｃｅｓｓ  Ｃｏｎｔｒｏｌ  Ｐａｃｋｅｔ  Ｄａｔａ  Ｕｎｉｔ）であるかが確認できる。
【００５２】
このようなＣＩＤは、上記表１におけるＣＩＤ範囲でＭ２Ｍ機器に割り当てられる。Ｍ２Ｍマルチキャストサービスでも、既存のマルチキャストサービス（ＭＢＳ）と同様、ＤＳＡ過程で割り当てられたＣＩＤを用い、ＭＡＰ  ＩＥにＣＩＤを含めてマルチキャストサービスを区別させると、ＣＩＤ範囲（ｒａｎｇｅ）の既存のＣＩＤと区別されず、もし、ＣＩＤ範囲でマルチキャストＣＩＤを再使用すると、マルチキャストＣＩＤの個数が９５個に制限されているため、Ｍ２Ｍマルチキャストサービスの総数を充分に満たせない場合がある。
【００５３】
そこで、ＩＥＥＥ  ８０２．１６ｅ（Ｗｉｒｅｌｅｓｓ−ＭＡＮ  ＯＦＤＭＡ（８０２．１６−２００９））システムにおいてＭ２Ｍマルチキャストデータを伝送するための下りリンクリソースを割り当てるための方法が望まれる。
【００５４】
次の表３は、Ｍ２Ｍマルチキャストデータを伝送するための新規な拡張されたＤＬ  ＭＡＰ  ＩＥの一例を表すものである。
【００５５】
【表３】
0005784233.tif 000004
【００５６】
表３を参照すると、新規な拡張されたＤＬ  ＭＡＰ  ＩＥの一例として０ｘ１を設定し、Ｍ２Ｍマルチキャスト割当ＩＥ（Ｍ２Ｍ  ｍｕｌｔｉｃａｓｔ  ａｓｓｉｇｎｍｅｎｔ  ＩＥ）であることを指示できる。
【００５７】
次の表４には、Ｍ２Ｍマルチキャスト割当ＩＥフォーマットの一例を示す。下りリンク制御情報（例えば、ＤＬ−ＭＡＰ）において基地局は、Ｍ２Ｍマルチキャストデータが伝送される下りリンク割当を指示するためにＭ２Ｍマルチキャスト割当ＭＡＰ  ＩＥを伝送する。
【００５８】
【表４】
0005784233.tif 000005
【００５９】
上記表４のように、Ｍ２Ｍマルチキャスト割当ＩＥ（Ｍ２Ｍ  Ｍｕｌｔｉｃａｓｔ  Ａｓｓｉｇｎｍｅｎｔ  ＩＥ）は、ｅｘｔｅｎｄｅｄ−３  ＤＩＵＣ（ｅｘｔｅｎｄｅｄ−２  ＤＩＵＣ＝１５のとき）を用いて伝送されるとよい。しかし、ｅｘｔｅｎｄｅｄ−３  ＤＩＵＣ（Ｄｏｗｎｌｉｎｋ  Ｉｎｔｅｒｖａｌ  Ｕｓａｇｅ  Ｃｏｄｅ）の代わりに、Ｅｘｔｅｎｄｅｄ  ＤＩＵＣにおいて予約されたＤＩＵＣを用いてもよい。基地局は、マルチキャスト割当のためのＭＡＰ  ＩＥに、ＤＳＡ過程で割り当てられたＣＩＤの代わりに、ＤＳＡに含まれたＭＧＩＤを含めて伝送できる。
【００６０】
次の表５は、Ｅｘｔｅｎｄｅｄ  ＤＩＵＣ（Ｄｏｗｎｌｉｎｋ  Ｉｎｔｅｒｖａｌ  Ｕｓａｇｅ  Ｃｏｄｅ）を用いたＭ２Ｍマルチキャスト割当ＩＥ（Ｍ２Ｍ  Ｍｕｌｔｉｃａｓｔ  Ａｓｓｉｇｎｍｅｎｔ  ＩＥ）の一例を示すものである。
【００６１】
【表５】
0005784233.tif 000006
【００６２】
上記の表５では、予約された０ｘ５がＭ２Ｍマルチキャスト割当ＩＥを表す。下りリンク制御情報（例えば、ＤＬ−ＭＡＰ）において基地局は、Ｍ２Ｍマルチキャストデータが伝送される下りリンク割当を指示するためにＭ２Ｍマルチキャスト割当ＭＡＰ  ＩＥを伝送する。
【００６３】
次の表６は、Ｍ２Ｍマルチキャスト割当ＩＥ（Ｍ２Ｍ  Ｍｕｌｔｉｃａｓｔ  Ａｓｓｉｇｎｍｅｎｔ  ＩＥ）フォーマットの一例を表すものである。
【００６４】
【表６】
0005784233.tif 000007
【００６５】
表６を参照すると、Ｍ２Ｍマルチキャスト割当ＩＥメッセージは、ＣＩＤに代えてＭＧＩＤが含まれ、Ｍ２Ｍ機器のプロセッサ１２０は、このＭ２Ｍマルチキャスト割当ＩＥに含まれたＭＧＩＤから、自身に該当するバーストであるか否かを確認できる。このように、Ｍ２Ｍマルチキャスト割当ＩＥに基づいて受信したバーストはＭＰＤＵ（ＭＡＣ  Ｐｒｏｔｏｃｏｌ  ｄａｔａ  ｕｎｉｔ）を含んでおり、このとき、ＭＡＣ  ＰＤＵのＧＭＨ（Ｇｅｎｅｒｉｃ  ＭＡＣ  Ｈｅａｄｅｒ）には、ＭＧＩＤに代え、ＤＳＡで割り当てられたＣＩＤが含まれていればよい。
【００６６】
図２は、Ｍ２Ｍ機器への基地局のＭＧＩＤ及びＣＩＤの割当過程の一例を示す図である。
【００６７】
図２を参照すると、Ｍ２Ｍ機器は、基地局と初期ネットワーク進入手順を行うことができる（Ｓ２１０）。以降、Ｍ２Ｍ機器は、ＤＳＡ（Ｄｙｎａｍｉｃ  Ｓｅｒｖｉｃｅ  Ａｄｄｉｔｉｏｎ）手順により、基地局からマルチキャストサービスフローに対するＭＧＩＤ（Ａ）及びＣＩＤ（Ｘ）の割当を受けることができる（Ｓ２２０）。
【００６８】
このようなマルチキャストサービスフローパラメータが割り当てられたＭ２Ｍ機器は、基地局からＭ２Ｍマルチキャスト割当Ａ−ＭＡＰ  ＩＥ（Ｍ２Ｍ  Ｍｕｌｔｉｃａｓｔ  Ａｓｓｉｇｎｍｅｎｔ  Ａ−ＭＡＰ  ＩＥ）メッセージ（或いは、Ｍ２Ｍマルチキャスト割当ＩＥメッセージなどとも呼ばれる）を受信することができる（Ｓ２３０）。この時、Ｍ２Ｍマルチキャスト割当Ａ−ＭＡＰ  ＩＥには、Ｍ２Ｍ機器に割り当てたＭＧＩＤがＣＲＣ（Ｃｙｃｌｉｃ  Ｒｅｄｕｎｄｅｎｃｙ  Ｃｈｅｃｋ）マスキングして伝送されるとよい。
【００６９】
したがって、Ｍ２Ｍ機器のプロセッサ１２０は、受信したＭ２Ｍマルチキャスト割当Ａ−ＭＡＰ  ＩＥに、自身に割り当てられたＭＧＩＤ（すなわち、ＭＧＩＤ＝Ａ）が含まれているか判断し、もし含まれていると、Ｍ２Ｍ機器は、このＭ２Ｍマルチキャスト割当Ａ−ＭＡＰ  ＩＥに基づいて下りリンクバーストを受信し、デコーディングすることができる（Ｓ２４０）。下りリンクバーストは、マルチキャストＭＰＤＵ（ＭＡＣ  Ｐｒｏｔｏｃｏｌ  ｄａｔａ  ｕｎｉｔ）を含んでおり、このとき、マルチキャストＰＤＵのＧＭＨ（Ｇｅｎｅｒｉｃ  ＭＡＣ  Ｈｅａｄｅｒ）には、ＭＧＩＤに代え、ＤＳＡで割り当てられたＣＩＤが含まれていればよい。
【００７０】
Ｍ２Ｍ機器のプロセッサ１２０が下りリンクバーストをデコーディングした後、マルチキャストＭＰＤＵ内のＣＩＤが、Ｍ２Ｍマルチキャスト割当ＩＥに含まれたＭＧＩＤに連結されたＣＩＤを有していると、Ｍ２Ｍ機器は、該当のマルチキャストＭＳＤＵ（ＭＡＣ  Ｓｅｒｖｉｃｅ  Ｄａｔａ  Ｕｎｉｔ）を上位層に送り、ＭＧＩＤに連結されたＣＩＤがないと、当該マルチキャストＭＰＤＵ（ＭＡＣ  Ｐｒｏｔｏｃｏｌ  ｄａｔａ  ｕｎｉｔ）を捨てる（ｄｉｓｃａｒｄ）。
【００７１】
Ｓ２１０段階のＤＳＡ過程でＭＧＩＤを割り当てる時、関連したＣＩＤは、既存の１６ビットＣＩＤ範囲から任意に一つを選択して割り当てるとよい。すなわち、既存のＣＩＤ範囲においてＢａｓｉｃ  ＣＩＤ、Ｔｒａｎｓｐｏｒｔ  ＣＩＤ、Ｍｕｌｔｉｃａｓｔ  ＣＩＤなどの領域で端末に割り当てたり、又はユニキャスト／マルチキャストサービスフローに割り当てられたＣＩＤと重ねて割り当てることができる。
【００７２】
これに加え、ＭＧＩＤが一つのサービスフローに連結される時、ＭＧＩＤが当該サービスフローを直接指示すると、一つのＭＧＩＤに複数のＣＩＤが用いられる必要がない。すなわち、全てのＭＧＩＤに対して一つのＣＩＤが用いられ、これは、ＤＳＡ過程で割り当てられる。この時、ＣＩＤは、マルチキャストＣＩＤ（Ｍｕｌｔｉｃａｓｔ  ＣＩＤ）のいずれか一つが用いられるとよい。マルチキャストＣＩＤのいずれか一つが用いられるため、既存のＭＢＳサービスに影響を及ぼすことがない。
【００７３】
一つのＭＧＩＤが一つのマルチキャストサービスフローを区別するとすれば、ＣＩＤが一つのＭＧＩＤに対してマルチキャストサービスフローを区別するために用いられる必要がない。すなわち、システムにおいて一つのＣＩＤのみを使用すればいい。すなわち、ＭＧＩＤがマルチキャストサービスフローを区別し、ＣＩＤは該当のＭＰＤＵがＭ２Ｍマルチキャストデータであるということを区別するだろう。全てのＭＧＩＤに対して同一のＣＩＤ一つのみが用いられればよい。該当のＣＩＤは、ＤＳＡ過程で基地局が割り当てたり、システム上で予約された一つを使用すればよい。システム上で一つを定めておく場合、上記の表１のＣＩＤにおいてマルチキャストＣＩＤを一つ予約すればよい。例えば、０ｘＦＥＡ０又はＦＥＦＥをＭ２ＭマルチキャストＣＩＤとして予約できる。もし、ＤＳＡ過程で一つを割り当てると、基地局は、マルチキャストＣＩＤのいずれか一つをＭ２ＭマルチキャストＣＩＤとして割り当てることができる。ＤＳＡ過程で割り当てるとすれば、基地局は、全てのＭＧＩＤに対して同一のＣＩＤを割り当てるだろう。
【００７４】
ＩＥＥＥ  ８０２．１６ｍシステムでも、これと同様の適用が可能である。すなわち、ＭＧＩＤがマルチキャストサービスフローを区別するために用いられ、一つのＦＩＤ（Ｆｌｏｗ  ＩＤｅｎｔｉｆｉｅｒ）が、Ｍ２Ｍマルチキャストバーストであることを区別するために用いられるとよい。一方、当該ＦＩＤは、Ｍ２ＭマルチキャストバーストにおいてＭＡＣ  ＰＤＵのＭＡＣヘッダー内に含まれて伝送されるとよい。ここで、当該ＦＩＤは、ＤＳＡ過程で基地局が割り当てたり、システム上で一つを予約して使用すればいい。
【００７５】
マルチキャストサービスフローパラメータが割り当てられたＭ２Ｍ機器は、基地局からＭ２Ｍマルチキャスト割当Ａ−ＭＡＰ  ＩＥを受信することができ、このＭ２Ｍマルチキャスト割当Ａ−ＭＡＰ  ＩＥには、Ｍ２Ｍ機器に割り当てたＭＧＩＤがＣＲＣ（Ｃｙｃｌｉｃ  Ｒｅｄｕｎｄｅｎｃｙ  Ｃｈｅｃｋ）マスキングして伝送されるとよい。Ｍ２Ｍ機器のプロセッサ１２０は、受信したＭ２Ｍマルチキャスト割当Ａ−ＭＡＰ  ＩＥに、自身に割り当てられたＭＧＩＤが含まれているか否か判断し、もし含まれていると、Ｍ２Ｍ機器は、このＭ２Ｍマルチキャスト割当Ａ−ＭＡＰ  ＩＥに基づいて下りリンクバーストを受信し、それをデコーディングできる。
【００７６】
もしＭ２Ｍマルチキャストバーストを区別付けるための該当のＦＩＤをＤＳＡ過程で割り当てるとすれば、基地局は、全てのマルチキャストサービスフロー（全てのＭＧＩＤ）に対して同一のＦＩＤを割り当てるだろう。一方、該当のＦＩＤをシステム上で一つを固定して使用すると、ＦＩＤ値は４ビットＦＩＤ範囲（０ｂ００００〜０ｂ１１１１）において特定ＦＩＤ値（例えば、０ｂ００００、０ｂ１１１１又は０ｂ０１００）を使用するはずである。このようにシステムにおいてマルチキャストサービスフローに対して一つのＦＩＤ値を固定させる場合に、ＤＳＡ過程でＦＩＤを割り当てる必要がない。すなわち、ＭＡＰ  ＩＥにＭＧＩＤを含め、固定されたＦＩＤはＡＧＭＨ（Ａｄｖａｎｃｅｄ  Ｇｅｎｅｒｉｃ  ＭＡＣ  Ｈｅａｄｅｒ）に含めて伝送できる。
【００７７】
したがって、Ｍ２Ｍ機器は、基地局から下りリンクバーストを受信し、Ｍ２Ｍ機器のプロセッサ１２０は、下りリンクバースト内のＭＳＤＵ（ＭＡＣ  ＳＤＵ）を運ぶＭＰＤＵ（ＭＡＣ  ＰＤＵ）のＭＡＣヘッダーにおけるＦＩＤフィールドをデコーディングできる。もし、ＭＰＤＵのＭＡＣヘッダーにおけるＦＩＤフィールドが、約束された特定ＦＩＤ値（例えば、０ｂ００００、０ｂ１１１１又は０ｂ０１００）に設定されていると、Ｍ２Ｍ機器のプロセッサ１２０は、当該下りリンクバーストがマルチキャストサービスフローのためのマルチキャストバーストであることを知る。すなわち、マルチキャストサービスフローのためにＭＳＤＵを運ぶＭＰＤＵのＭＡＣヘッダーにおけるＦＩＤフィールドは、０ｂ００００、０ｂ１１１１又は０ｂ０１００に設定されるとよい。このような内容は、遊休モードでも、連結モードでも適用可能であり、Ｍ２Ｍ機器の他、端末でも適用可能である。
【００７８】
一方、ＦＩＤがＭ２Ｍグループゾーン内の全てのマルチキャストサービスフロー（全てのＭＧＩＤ）に対して同一の値を使用できる。隣接したゾーン同士では異なったＦＩＤを使用する。この場合、Ｍ２Ｍ機器は、ＦＩＤから、当該ＭＧＩＤがどのゾーンに属しているかがわかる。そのために、基地局は、基地局内にあるＭ２Ｍ機器に、自身が支援するＭ２ＭグループゾーンＩＤを知らせるためにＭ２ＭグループゾーンＩＤリストを放送する時、Ｍ２ＭグループゾーンＩＤとマッピングされたＦＩＤ情報を共にＭ２Ｍ機器に伝送できる。
【００７９】
すなわち、ＩＥＥＥ  ８０２．１６ｍではＡＡＩ−ＳＣＤ（Ｓｙｓｔｅｍ  Ｃｏｎｆｉｇｕｒａｔｉｏｎ  Ｄｅｓｃｒｉｐｔｏｒ）メッセージに、ＩＥＥＥ  ８０２．１６ｅシステムではＤＣＤ（Ｄｏｗｎｌｉｎｋ  Ｃｈａｎｎｅｌ  Ｄｅｓｃｒｉｐｔｏｒ）メッセージにＭ２ＭグループゾーンＩＤとＦＩＤマッピング情報を含めて基地局がＭ２Ｍ機器に伝送できる。このようなＦＩＤ情報は、遊休モード（ｉｄｌｅ  ｍｏｄｅ）Ｍ２Ｍ機器にマルチキャストトラフィック受信を知らせるグループページング情報がページングメッセージにＭＧＩＤと共に含まれたり、マルチキャストＭＰＤＵのＭＡＣヘッダーに含まれるとよい。
【００８０】
Ｍ２Ｍ機器がマルチキャストＭＰＤＵを受信し、Ｍ２Ｍ機器のプロセッサ１２０は、ＭＡＣヘッダーのＦＩＤフィールドを確認し、自身のゾーンに対するマルチキャストバーストであるかを確認できる。もし、ＦＩＤが割り当てられたＭＧＩＤに対して関連性或いは連係性がないと、Ｍ２Ｍ機器は、受信したマルチキャストデータを捨てればいい。
【００８１】
次の表７は、ＡＡＩ−ＳＣＤメッセージフォーマットの一例を、表８は、ＡＡＩ−ＰＡＧ−ＡＤＶメッセージフォーマットの一例を表すものである。
【００８２】
【表７】
0005784233.tif 000008
【００８３】
表７を参照すると、ＡＡＩ−ＳＣＤメッセージは、Ｍ２ＭグループゾーンＩＤを指示するＭＧＺＩＤフィールド、及びＭ２ＭグループゾーンＩＤにマッピングされ、関連したフローＩＤを指示するＦＩＤフィールドを含んでいる。Ｍ２Ｍ機器のプロセッサ１２０は、ＡＡＩ−ＳＣＤメッセージに含まれたＭ２ＭグループゾーンＩＤ、及びＭ２ＭグループＩＤに関連したＦＩＤを確認し、自身のゾーンに対するマルチキャストバーストであるかを判断できる。もし、ＦＩＤが、割り当てられたＭＧＩＤに対して関連性或いは連係性がないと、Ｍ２Ｍ機器は、受信したマルチキャストデータを捨てればよい。
【００８４】
【表８】
0005784233.tif 000009
【００８５】
表８を参照すると、ＡＡＩ−ＰＡＧ−ＡＤＶメッセージは、Ｍ２ＭグループゾーンＩＤを指示するＭＧＩＤフィールド、及びＭ２ＭグループゾーンＩＤにマッピングされ、関連したフローＩＤを指示するＦＩＤフィールドを含んでいる。Ｍ２Ｍ機器のプロセッサ１２０は、ＡＡＩ−ＰＡＧ−ＡＤＶメッセージに含まれたＭ２ＭグループゾーンＩＤ、及びＭ２ＭグループＩＤに関連したＦＩＤを確認し、自身のゾーンに対するマルチキャストバーストであるか判断できる。もし、ＦＩＤが、割り当てられたＭＧＩＤに対して関連性或いは連係性がないと、Ｍ２Ｍ機器は、受信したマルチキャストデータを捨てればよい。
【００８６】
ＩＥＥＥ  ８０２．１６ｅシステムでも、上記方法と同様、一つのＣＩＤが特定Ｍ２ＭグループゾーンＩＤにマッピングされてもよい。隣接したＭ２Ｍグループゾーン同士では同一のＣＩＤを使用しない。遠く離れたゾーン同士では同一のＣＩＤが用いられてもよい。該当のＣＩＤは、マルチキャストＣＩＤ領域やトランスポートＣＩＤ（ｔｒａｎｓｐｏｒｔ  ＣＩＤ）領域で割り当てられるとよい。
【００８７】
ＭＡＰ  ＩＥにＭＧＩＤを含め、ＭＡＣヘッダーにＣＩＤを含めて伝達し、マルチキャストＰＤＵのＭＡＣヘッダーにおけるＣＩＤが、割り当てられたＭＧＩＤに関連したＣＩＤと一致しないと、Ｍ２Ｍ機器のプロセッサ１２０は、該当のマルチキャストＭＡＣ  ＰＤＵを削除すればよい。
【００８８】
次の表９は、マルチキャストページングのためにマルチキャストトラフィック指示とＭＧＩＤを含むページングメッセージ（例えば、ＡＡＩ−ＰＡＧ−ＡＤＶメッセージ）の一例を表すものである。
【００８９】
【表９】
0005784233.tif 000010
【００９０】
表９を参照すると、ＡＡＩ−ＰＡＧ−ＡＤＶメッセージは、ＭＧＩＤ、及びネットワーク再進入無しでマルチキャストトラフィックを受信することを指示するアクションコードフィールド（すなわち、Ａｃｔｉｏｎ  Ｃｏｄｅ＝０ｂ１０）を含むと、マルチキャスト伝送開始時間を指示するＭＴＳＴフィールドをさらに含んでよい。ここで、ＭＴＳＴフィールドは、基地局が下りリンクマルチキャストデータを伝送し始めるフレーム番号のＬＳＢ（Ｌｅａｓｔ  Ｓｉｇｎｉｆｉｃａｎｔ  Ｂｉｔ）８ビットで指示し、マルチキャスト伝送開始時間を知らせる。
【００９１】
Ｍ２Ｍ機器は、自身に割り当てられたＭＧＩＤが含まれたページングメッセージを受信すると、Ｍ２Ｍ機器マルチキャストデータを受信するためにページング利用不可能区間でも起床しており、下りリンクチャネルを受信する。
【００９２】
基地局は、あるＭ２Ｍ機器にＭ２Ｍマルチキャストサービスフローに対するＭＧＩＤを割り当てる時、ＦＩＤ及び関連したサービスフローパラメータをＤＳＡメッセージに含めてＭ２Ｍ機器に伝送できる。このとき、ＭＧＩＤは、ＦＩＤとの組合せでマルチキャストサービスフローを表す。
【００９３】
現在ＩＥＥＥ  ８０２．１６標準（８０２．１６．１ｂ／Ｄ１）で定義した通りＭＧＩＤのみをページングメッセージに含めると、Ｍ２Ｍ機器のプロセッサ１２０は、Ｍ２Ｍ機器自身に割り当てられたＭＧＩＤに対して、自身に割り当てられなかったＦＩＤに対してページングをする時にも、自身のマルチキャストデータであるかを確認するために起床するように制御しなければならない。例えば、一つのＭ２Ｍ機器がＭＧＩＤ＝１及びＦＩＤ＝１に設定されたマルチキャストサービスフローに対する連結を有しているが、基地局がＭＧＩＤ＝１、及びＦＩＤ≠１に設定されたマルチキャストサービスフローに対してグループページングをするとき、ＭＧＩＤ＝１のみをページングメッセージに含めて送るから、Ｍ２Ｍ機器はマルチキャストページングを受信するために結局は遊休モードから起床しなければならず、自身に該当するマルチキャストデータを受信するために待たなければならない。これは、Ｍ２Ｍ機器の不必要な動作を引き起こし、Ｍ２Ｍ機器の電力消耗を増加させることになる。
【００９４】
このような電力消耗増加の問題などを解決するには、基地局はマルチキャストデータ伝送のためのグループページングを行うとき、ＭＧＩＤに加え、ＦＩＤもページングメッセージに含めてＭ２Ｍ機器に伝送する必要がある。Ｍ２Ｍ機器がマルチキャストデータ受信のためのグループページングメッセージを受信した時、Ｍ２Ｍ機器のプロセッサ１２０は、ページングメッセージに含まれたＭＧＩＤ及びＦＩＤと、Ｍ２Ｍ機器自身に割り当てられたＭＧＩＤ及びＦＩＤとを確認し、一致する値があるか確認する。もし一致する値があると、Ｍ２Ｍ機器のプロセッサ１２０は、ネットワーク再進入を行うことなくマルチキャストデータを受信するために、Ｍ２Ｍ機器が起床しているように制御できる。
【００９５】
下記の表１０は、ＦＩＤを含むＡＡＩ−ＰＡＧ−ＡＤＶメッセージフォーマットの一例を表すものである。
【００９６】
【表１０】
0005784233.tif 000011
【００９７】
表１０を参照すると、ＡＡＩ−ＰＡＧ−ＡＤＶメッセージは、Ｍ２ＭグループＩＤを指示するＭＧＩＤフィールド、アクションコードフィールドを含んでいる。このとき、アクションコードフィールドが、ネットワーク再進入なしでマルチキャストトラフィックを受信することを指示する場合（Ａｃｔｉｏｎ  Ｃｏｄｅ＝０ｂ１０）、ＡＡＩ−ＰＡＧ−ＡＤＶメッセージは、マルチキャストサービスフローに対するＭＧＩＤと関連したフローＩＤを指示するＦＩＤフィールド、及びマルチキャスト伝送開始時間（ＭＴＳＴ）フィールドをさらに含むことができる。すなわち、マルチキャストトラフィックを伝送するためのグループページングである場合、基地局は、ページングメッセージに関連したＦＩＤ情報を含めることができる。
【００９８】
Ｍ２Ｍ機器のプロセッサ１２０は、ＭＧＩＤが自身に該当し、アクションコードフィールドがネットワーク再進入なしでマルチキャストトラフィックを受信することを指示する場合に、ＦＩＤフィールドをデコーディングできる。そして、Ｍ２Ｍ機器のプロセッサ１２０は、デコーディングしたＦＩＤについても、Ｍ２Ｍ機器自身に割り当てられたＦＩＤを確認し、一致する値があるか確認する。もし一致する値があると、Ｍ２Ｍ機器のプロセッサ１２０は、ネットワーク再進入を行わないでマルチキャストデータを受信するために、Ｍ２Ｍ機器が起床しているように制御できる。
【００９９】
次の表１１は、ＦＩＤを含むページングメッセージフォーマットの他の例を表すものである。
【０１００】
【表１１】
0005784233.tif 000012
【０１０１】
表１１を参照すると、ＡＡＩ−ＰＡＧ−ＡＤＶメッセージは、アクションコード（Ａｃｔｉｏｎ  Ｃｏｄｅ）にかかわらず、全てのグループページングに対してマルチキャストサービスフローに対するＭＧＩＤと関連したフローＩＤを指示するＦＩＤフィールドを含むことができる。この場合、グループでネットワーク再進入を行うＭ２Ｍ機器やグループ位置アップデートを行うＭ２Ｍ機器も、自分に割り当てられなかったＦＩＤに対しては不必要なオペレーションを行わない特長がある。
【０１０２】
以上説明した本発明の様々な実施例によって、基地局がＭ２Ｍ機器に效率的にマルチキャストデータを伝送することによって、Ｍ２Ｍ機器にとっても通信性能が向上する。
【０１０３】
本発明に係るＭ２Ｍ機器の動作は、Ｍ２Ｍ機器の固有の動作でない限り、端末も共に行うことができ、各メッセージフォーマットで記述しているフィールド（或いはパラメータ）の名称は他の形態と呼ばれてもよい。また、本発明の内容は、ＩＥＥＥ  ８０２．１６を中心に記述しているが、３ＧＰＰ  ＬＴＥ−ＡシステムのＭＴＣ機器の動作にも適用可能である。
【０１０４】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含まれることもでき、別の実施例の対応する構成又は特徴に取って代わることもできる。特許請求の範囲において明示的な引用関係にない請求項を結合して実施例を構成したり、出願後の補正により新しい請求項として含めたりすることができることは明らかである。
【０１０５】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。
【図１】
0005784233.tif 000013
【図２】
0005784233.tif 000014